(57)【要約】【課題】  仕切られた収納室に多数のカード類が一枚ずつ収納可能で、且つカードの出し入れや識別が容易に出来、しかもコンパクトなカード収納体を提供する。又カードと共に他の書類等が収納可能で書類の出し入れや識別等が容易なカード収納体を提供する。【解決手段】  本体を三つ折り等に折り曲げ、留め具で固着して使用するカード収納体であつて、この収納体は、本体の開閉により幅が変化する四角形のカード収納室を少なくとも二室備えたカード収納襞を複数個備え、更にカード収納室一室の長さより長くしかも本体の開閉により幅が変化する書類収納室を備えたカード収納体。  又カードや書類等を収納する各部材が硬さ指数が４０以下の部材が用いられた前記カード収納体。【効果】  前記課題が解決された。【選択図】  図１。
2005199675.tif 000002
【特許請求の範囲】
【請求項１】
本体を折り曲げて使用する留め具を備えたカード収納体であつて、このカード収納体は本体が延設部を有し、且つ本体の開閉により幅が変化する四角形のカード収納室を少なくとも二室備えたカード収納襞を複数個備え、更にカード収納室一室の長さより長さが長く且つ本体の開閉により幅が変化する書類収納室を備えたカード収納体。
【請求項２】
本体は折り曲げ部に細長い折り曲げ部空隙を有する芯材を備え、且つ芯材の表面側に表面布帛が接合され、更に芯材の内側に内面布帛が接合されたものである請求項１に記載のカード収納体。
【請求項３】
書類収納室は書類部材が本体及びカード収納襞に接合され、且つ長さが本体の長さより１から６０ｍｍ短く構成されたものである請求項１又は２に記載のカード収納体。
【請求項４】
カード収納襞は硬さ指数が４０以下である襞部材が用いられたものである請求項１から３いずれかに記載のカード収納体。
【請求項５】
書類収納室は硬さ指数が４０以下である書類部材が用いられたものである請求項１から４いずれかに記載のカード収納体。
【請求項６】
内面布帛は硬さ指数が４０以下の布帛である請求項２記載のカード収納体。
【請求項７】
本体延設部の内側に書類挟持室を備えた請求項１から６いずれかに記載のカード収納体。
【請求項８】
書類収納室は書類部材がカード収納襞の襞部材に糸による縫着により深さ方向に直線状に接合されたものである請求項１から７いずれかに記載のカード収納体。
【請求項９】
本体は長さが１４から２５ｃｍ、折り曲げたときの幅が８から１５ｃｍであり、カード収納室は折り曲げたときの一室の長さが５から８ｃｍであり、書類収納室は長さが７から２０ｃｍとしてなる請求項１から８いずれかに記載のカード収納体。
【発明の詳細な説明】
【技術分野】
【０００１】  本発明はカード収納体に関する。更に詳しくは各種多数のカードを一個の収納体に一枚ずつ各別に収納でき、しかも収納体を開くとカード収納室の幅が大になり、カードが立体的に立ち上がり、カードの出し入れや識別等が容易に出来るカード収納体に関する。更には収納体を開くと幅が大になり、書類の出し入れや識別等が容易に出来る書類収納室を備え、且つ携帯に便利なコンパクトなカード収納体に関する。
【背景技術】
【０００２】  金融機関や他のサービス機関等が発行した多数のカードが使用されている。従来カード収納体としてカード収納室を備えた財布が使用されていた。このような財布として特許文献１に、一方の内面に紙幣収納室を備え、他方の内面に段状に形成されたカード収納室を備えた財布が開示されている。
又特許文献２や特許文献３等に内面の両側に段状に形成されたカード収納室を備えた財布が開示されている。
前記３件に開示された技術にあつては、ある一定量のカードは収納可能かもしれないが、多数のカードをそれぞれの収納室に一枚ずつ収納することは不可能である。該技術にあつては多数のカードを収納する場合、カード収納室一室に複数のカードを重ねて収納する必要があリ、必然的にカードの識別が困難となる。又一室に一枚ずつ収納する場合、多数のカード収納室を備える必要があり、大型の財布となる。従って、コンパクト性に劣るものとなる。【０００３】  特許文献４にカバー材の内部に合成樹脂シート等が山谷折りされ、収納室が蛇腹状に形成された小物収容具が開示されている。又特許文献５にカバー本体の内部に交互に複数箇所折り曲げた蛇腹体を一端側面から二つ折りにし、折返し面を接着した扇状の蛇腹体を備えたカードケースが開示されている。
上記二件に開示された技術にあつては収納室が蛇腹体に形成されているので、本体の開閉により収納物等が立体的に立ち上がるという機能がある。しかし収納室は一個の蛇腹体に一室であり、多数のカードを収納することは困難である。又コンパクトな物ではない。又前記特許文献５に開示されたカードケースの場合、各収納室は仕切りのない蛇腹体の対面する略Ｖ状に形成された側壁のない空間部の両端にカードの両端部が挟み込まれるように収納するように構成されている。従ってカードを挿入する場合、カードが正しい収納室に収納されず、隣接する収納室にカードの一方の端部が入り込んだ状態で収納されることがある。従ってカードケースやカード等が損傷し易い。
又前記特許文献４や５等にはカードと書類を同時に収納可能な収納室を備えたものは開示されていない。
【特許文献１】特開平９−３０８５１３
【特許文献２】特開２００１−２３８７１４
【特許文献３】登録実用新案公報第３０６４７６
【特許文献４】特開平９−１５６６４８
【特許文献５】実開平１−１３１５７１
【発明の開示】
【０００４】  本発明は前記背景技術の課題を解決するために為されたものであり、一個の収納体に多数のカードを一枚ずつ各別に収納可能で、収納体を開くと隣接するカード間が大になりカードが立体的に立ち上がりカードの出し入れが容易で、しかもカードの識別が容易なカード収納体を提供するものである。又カード以外の他の書類や紙幣等も同時に収納可能な、幅が変化する書類収納室を備え、しかもコンパクト性に優れたカード収納体を提供するものである。
【課題を解決するための手段】
【０００５】  本発明は前記課題を解決するため、カード収納室、書類収納室等の構成や使用する材料等を鋭意研究し成されたものであり、以下に示すような収納体を提供するものである。
【０００６】（１）  本体を折り曲げて使用する留め具を備えたカード収納体であつて、このカード収納体は本体が延設部を有し、且つ本体の開閉により幅が変化する四角形のカード収納室を少なくとも二室備えたカード収納襞を複数個備え、更にカード収納室一室の長さより長さが長く且つ本体の開閉により幅が変化する書類収納室を備えたカード収納体。
【０００７】（２）  本体は折り曲げ部に細長い折り曲げ部空隙を有する芯材を備え、且つ芯材の表面側に表面布帛が接合され、更に芯材の内側に内面布帛が接合されたものである請求項１に記載のカード収納体。
【０００８】（３）  書類収納室は書類部材が本体及び襞部材に接合され且つ長さが本体の長さより１から６０ｍｍ短く構成されたものである請求項１又は２に記載のカード収納体。
【０００９】（４）  カード収納襞は硬さ指数４０以下の襞部材が用いられたものである請求項１から３いずれかに記載のカード収納体。
【００１０】（５）  書類収納室は硬さ指数が４０以下の書類部材が用いられたものである請求項１から４いずれかに記載のカード収納体。
【００１１】（６）  内面布帛は硬さ指数が４０以下の布帛である請求項２記載のカード収納体。
【００１２】（７）  本体延設部の内側に書類挟持室を備えた請求項１から６いずれかに記載のカード収納体。
【００１３】（８）  書類収納室は書類部材がカード収納襞の襞部材に糸による縫着により深さ方向に直線状に接合されたものである請求項１から７いずれかに記載のカード収納体。
【００１４】（９）  本体は長さが１４から２５ｃｍ、折り曲げたときの幅が８から１５ｃｍであり、カード収納室は折り曲げたときの一室の長さが５から８ｃｍであり、書類収納室は長さが７から２０ｃｍとしてなる請求項１から８いずれかに記載のカード収納体。
【発明の効果】
【００１５】  本発明の前記（１）の構成によれば、カード収納襞一個に二室以上のカード収納室を有するカード収納襞を複数個備えているので、多数のカードがコンパクトな状態で収納可能である。又カード収納室や書類収納室は本体の開閉によりその幅が密着状態から広幅状態まで変化するように構成されているので、本体を開くと隣接するカード間が大になりカードが立体的に立ち上がる。従ってカードの出し入れがし易くなると共に、カードの識別が容易になる。又書類も収納室の幅が大になり、書類の出し入れや識別等が容易になる。
又本体を開くとカード収納室の幅が広幅状態になると同時に長さが小となるので、収納されたカードが挟み込まれるようになる。従って多数のカードを収納してもカードが抜け落ちる事を阻止できる。又本体を折り曲げカード収納室や書類収納室等を密着し留め具で留める事が可能であるので、コンパクトで且つ携帯時等にカードの脱落等を一層確実に阻止できる。
【００１６】  前記（２）の構成によれば、本体の部材として折り曲げ部に細長い空隙が削設された芯材が配置されている。従って中央折り曲げ部や蓋体として機能する延設部の折り曲げ部等で本体を内側に折り曲げた時、確実に直線状に折り曲げる事が可能となる。又本体の折り曲げ時、折り曲げ抵抗が小さく、スムーズな開閉が可能となる。
又芯材に表面布帛や内面布帛が接合されているので芯材に削設された細長い空隙の両端部近傍を補強する効果があり、長期間使用可能である。しかも手触り等の風合いのよいものとなる。
【００１７】  前記（３）の構成によれば書類収納室は本体の長さと同等若しくは若干短く構成されているので、書類収納室の縁部が本体からはみ出る事がない。本体に衝撃等が掛かつた場合、書類収納室全体が本体に保護され、書類収納室の縁部が剥離等の損傷を阻止できる。従って、長期間使用可能である。又書類収納室は書類部材が本体に接合されて形成しているので長い書類収納室とする事が可能である。
【００１８】  前記（４）の構成によればカード収納襞は硬さ指数が４０以下である布帛が使用されている。従って夫々のカード収納室すべて剛性があり形状保持性が良い。従って夫々の収納室は直線状の隔壁を構成する。従ってカード収納室に皺が発生する事がない。従ってカードの角部が皺等に引っかかつたりせず、出し入れがスムーズに出来る。又カード収納襞がその屈曲部でバネ様の作用があり、本体の開閉時に無理のないスムーズなよい開閉が可能である。
【００１９】  前記（５）の構成によれば書類収納室は硬さ指数が４０以下である布帛が使用されている。従ってカード収納室に皺が発生する事がない。従って書類の角部が皺等に引っかかつたりせず、出し入れがスムーズに出来る。また書類収納室は剛性があり形状保持性が良い。従って書類の出し入れが好ましくスムーズに出来る。又書類収納室がバネ様の作用があり、本体の開閉時に無理のないスムーズなよい開閉が可能である。
【００２０】  前記（６）の構成によれば内面布帛は硬さ指数が４０以下である布帛が使用されている。従って内面布帛は剛性があり形状保持性が良い。従って布帛に皺や異常な伸び等が発生する事が無い。又内面布帛にカード収納襞や書類部材等を接合しても過度な伸びが発生する事がない。従って長期間使用する事ができる。
【００２１】  前記（７）の構成によれば本体延設部に書類挟持室を備えているので比較的厚みの薄い書類をコンパクトに確実に収納する事が可能である。
【００２２】  前記（８）の構成によれば書類収納室は書類部材がカード収納襞の襞部材の屈曲部に縫着により直線状に接合されているので、本体を開いたときカード収納室や書類収納室が連動しその幅が大となる。従ってカードや書類等の出し入れがより好ましくスムーズに出来る。又、カード等の識別が容易に可能である。
【００２３】  前記（９）の構成によれば本体、カード収納室、書類収納室等の寸法が収納すべきカードや書類等に好ましく適合するように構成されているので、カード等を好ましく収納可能である。又携帯し易いコンパクトなカード収納体となる。
【発明を実施するための最良の形態】
【００２４】  以下図面を参照しながら本発明に係るカード収納体を実施するための最良の形態を説明する。
図１は本発明に係るカード収納体を開いたときの概略斜視図である。図２は芯材に表面布帛が接合された本体の概略平面図である。図３は芯材に表面布帛及び内面布帛が接合された本体の概略平面図である。図４はカード収納室と書類収納室の概略斜視図である。なお図１で１３は芯材に表面布帛が接合された表面部材である。
本発明の実施形態に係るカード収納体は形状保持性を有する本体２の内側に多数のカード収納室４を備え、更に書類収納室１９を備えている。この収納体は中央折り曲げ部Ｖや延設部の折り曲げ部Ｌ等で折り曲げて使用するように構成されている。この折り曲げ部Ｖの左側内面と右側内面に挟み込まれるようにカード収納襞３及びカード収納襞に備えられたカード収納室４を多数備えている（図１）。このカード収納襞３は一個の収納襞に少なくとも二室のカード収納室を備えている。図１の形態ではカード収納襞を４個備えている。【００２５】  又カード収納室４は本体の開閉により、その幅が変化するように構成されている。このカード収納室は開いたとき、上縁部の形状が四角形の形状をしている。又隣接する収納襞間に本体の開閉により、幅が変化するカード収納室７を備えている。又収納襞３と隣接する書類部材１６との間に略三角形のカード収納室１１を備えている。この収納室も本体の開閉により幅が変化する。本体は延設部２０を有しカード収納体を包みこむような蓋体を構成している。本体には止め具８を備えている。この止め具は一個を本体延設部の内側に備え、他の一個を本体の表面部に備えている（図１、図３）。【００２６】  本発明の形態に係るカード収納体は、図１で示す本体内面の左側及び右側に夫々一室ずつ書類収納室１９を備えている。左側の書類収納室は長さが、一個の収納襞を密着したときの長さとほぼ同じ長さ、即ち二室のカード収納室の長さ分ある。又本体右側の書類収納室は左側の書類収納室より長さが大で、本体の内面に接合された内面布帛６の長さにほぼ等しい長さに構成されている。
本形態に係る書類収納室は、カード収納襞３の襞部材１０に、その襞の屈曲部即ち四角形の頂点相当部で書類部材１６に線状で接合されている。この接合は糸による縫着で書類収納室の深さ方向即ち図１で言う奥側に接合部Ｂのように二箇所ずつ接合されている（図１）。カード収納襞の屈曲部で襞部材１０と書類部材１６が直接接合されているので、本体の開閉により、カード収納室と書類収納室の双方が連動しその幅が大となるように構成されている。【００２７】  本体２は形状保持性を有する材料で構成されている。なお本発明において、前記形状保持性があるという意味は後記形状保持性テスト法による降下距離２０ｍｍ以内であることをいう。この本体は単層構造の物、多層構造の物いずれでも良い。とりわけ形状保持性を有する芯材１４が本体を構成する材料として好ましく用いられる。この芯材１４は例えば各種の板紙、合成樹脂板、木質板、硬質化された布、硬化剤で処理された板紙、不織布、熱融着された不織布、接着剤で接着された不織布、麻織物等が例示できる。又、芯材として前記材料二種以上の併用物も使用可能である。
本体は前記芯材と各種布帛等の併用物等が使用可能である。例えば板紙を芯材としこれに織物を重ね合わせ接合した物等が例示できる。又本体として板紙と不織布を重ね更に織物を表面側及び内面側に重ね、接合した物等が例示できる。又芯材として不織布と板紙を配置し表面布帛で不織布側を包み込み端部を板紙に接合し、第二の板紙に内面布帛で内面側を包み込み前記表面布帛が配置された板紙に接合した物等が例示できる。
又不織布に色相や物性等の異なる他の不織布を重ね接合した物、板紙に合成樹脂フイルムが熱接着され更にその外側を織物でカバーし接合した物等何れも使用可能である。
とりわけ本体として、板紙、不織布、合成樹脂板等の芯材が少なくとも一個配置されたものは形状保持性が良く、曲げ追従性の良さ、価格の安さ等の点で好ましく用いられる。又板紙は適度の吸湿性があるという点で好ましく用いられる。【００２８】  前記本体の形状保持性のテスト法は以下の方法による。本体を幅５ｃｍ、長さ１４ｃｍに切断し試験片とする。この試験片を水平なテーブル上に置く。試験片の長さ１２ｃｍをテーブルの端部からはみ出し他方の２ｃｍを台上に置いた状態でその上部に金属片を載せ、試験片を固定する。１分経過後、はみ出した試験片の先端部が台からたれ下がつた垂直距離をｍｍ単位で測定する。このたれ下がつた垂直距離を降下距離とする。【００２９】  本発明を実施するための形態で使用する芯材１４は厚みが約０・１から８ｍｍであり、好ましくは約０・１５から６ｍｍであり、更に好ましくは約０・２から４ｍｍである。芯材の長さは本体の長さｄとほぼ同じで約１４から２５ｃｍで、幅は本体を折り曲げた時の左側部分の幅ｆの約２、５から３倍あればよく約２０から４２ｃｍである。
又芯材は全体が一体物でカード収納体の上蓋を形成する長さの延設部２０を有する物が用いられる（図２、図３）。【００３０】  本発明の実施形態において、芯材１４は本体の中央折り曲げ部Ｖ、及び延設部の折り曲げ部Ｌに相当する部位にそれぞれ細長い折り曲げ部空隙Ｍを有する物が好ましく用いられる。この空隙Ｍはナイフによる溝切加工、プレスによる打ち抜き加工等で配置する事ができる。この空隙Ｍの幅ｍは、ほぼ折り曲げ幅に相当し幅約０・１から２０ｍｍである。又この空隙Ｍの上下の端部に、芯材を支持する幅約１から２０ｍｍの支持部１８が設けられている。又空隙Ｍの代わりに芯材の厚みが小となるようにプレス加工された物も使用可能である。プレス加工の場合、前記空隙の幅ｍに相当する幅全体がプレス加工された物や、幅ｍｂに相当する分の両端部に直線状のプレスがされ物であつても良い。
又この空隙Ｍは二箇所にあつても良く、一箇所でも良い。
又空隙Ｍの代わりに芯材の厚みが小となるようにプレス加工された物も使用可能である。プレス加工の場合空隙の幅ｍに相当する幅全体がプレス加工された物や、幅ｍに相当する分の両端部に細い直線状のプレス加工された物であつても良い。又プレス加工された物は、プレス加工部が芯材から凸状に形成された物でああつても良い。【００３１】  本実施形態において本体２は芯材が表面布帛５で表面側から内面側に包み込まれるように覆われ、折り曲げ部１５が内側に折り曲げて芯材に接合されている（図２）。この折り曲げ部の幅は約５から５０ｍｍである。又表面布帛で芯材の表面側、内面側全部覆われていても良い。
表面布帛５は織物、編み物、不織布、天然皮革、合成皮革、合成樹脂薄膜、前記いずれかの布帛二種以上の併用物等何れも使用可能である。又クレープ加工された織物、刺繍がある布、起毛された布等も使用可能である。【００３２】  本実施形態において本体２は内面側に内面布帛６が接合された物が用いられている。この布帛は前記表面布帛に例示したような各種布帛が使用可能である。とりわけ剛性のある硬さ指数４０以下の布帛が好ましく用いられる。なお硬さ指数のテスト法は後記のテスト法による。この布帛として例えばレーヨン織物が糊剤で処理された布、綿織物が糊剤で処理された布、スパンボンド法ポリエチレンテレフタレート不織布、スパンポンド法ポリオレフイン系不織布、レーヨン長繊維不織布等が例示できる。又前記布帛と熱接着性不織布が接合された布帛等が例示できる。【００３３】  内面布帛６は芯材等に接合されていれば良い。図３に示すように接合後の内面布帛の寸法は、芯材の長さや幅より若干小さく、表面布帛の折り曲げ部が内面側に幅ｃ現れることが好ましい，この幅ｃは約１から２０ｍｍである。又内面布帛は折り曲げ部を芯材側に折り曲げた状態で接合されている（図３）。又内面布帛は四角形の頂点に該当する部位が略三角形に折り曲げられて芯材に接合されていても良い。【００３４】  前記芯材と表面布帛の接合、芯材と内面布帛の接合等は各種の接合が適用可能である。
例えば糸による縫着、接着剤による接着、鋲止め等が例示できる。しかし接着剤によるものは接着幅が広い面状で接着でき、しかも芯材に設けられた空隙Ｍや幅ｍに相当するプレス部等の上下の端部をこの布で補強するという点で、好ましく用いられる。【００３５】  図９の実施形態はカード収納襞間及び側面に書類収納室を備えたカード収納襞群を開いたときの模式図である。図１０は図９のカード収納襞群を閉じつつあるときの模式図である。
本発明を実施するための形態では、一個のカード収納襞３に少なくとも二室のカード収納室４を備えたカード収納襞３を少なくとも二個備えている。図９ではカード収納襞を４個備えている。又書類収納室１９がカード収納襞間に一個、最後のカード収納襞と内面布帛間に一個備えている。
このカード収納室や書類収納室は本体の開閉によりそれぞれの収納室の幅ｗ及びｎが変化するように構成されている（図９、図１０、図４）。又本体の開閉によりカード収納室の長さｐも変化する（図４）。【００３６】  カード収納襞３は二枚の襞部材１０が、図９で示す上部の縁部近傍及び中央部近傍及び下部の縁部近傍で接合されてその上縁部の形状が四角形であるカード収納室４が二室形成されている。又左側に配置された最初のカード収納襞は、襞部材１０の屈曲部に相当する部位が内面布帛６に接合部Ｂで二箇所接合され、右側に配置された最後のカード収納襞は襞部材１０の屈曲部に相当する部位が書類収納室の書類部材１６に接合部Ｂで二箇所接合されている。又ほぼ中央部に、ほぼカード収納室二室分に相当する長さの書類収納室１９が配置されている。この書類収納室は隣接するカード収納室一室分のほぼ中央部の屈曲部に相当する部位で、上下一箇所ずつ糸で縫着されている。又上下の縁部近傍も縫着されている。それぞれのカード収納襞は隣接するカード収納室一室のほぼ中央部で接合部Ｓで接合され、屈曲部を形成している。この接合部ＢやＳは前記のような糸による縫着等が好ましい。なお襞部材と内面布帛６接合する左側の接合部Ｂは図９では図示していない板紙等の芯材と共に糸で縫着されていても良い。
又図９では隣接するカード収納襞間に、一室ずつのカード収納室７を備えている。又最初のカード収納襞と内面布帛の間に一室、最後のカード収納襞と書類部材１６間に一室のカード収納室１１を備えている（図９）。このカード収納室１１は開いたとき略三角形となる。
又中央部の書類収納室の左右に略三角形のカード収納室を一室ずつ備えている。【００３７】  又図９に示すように、ほぼ中央部に配置された書類収納室と右側に配置された書類収納室は長さが異なる。右側の書類収納室は長さが大で、書類部材の端部を内面布帛の縁部を包み込むようにして芯材側に折り曲げ、芯材に接合されている。このように内面布帛の長さにほぼ等しい長さの書類収納室を形成する事により、書類収納室の長さが大で且つコンパクトなカード収納体とすることが出来る。【００３８】  本発明を実施するための形態において、カード収納室や書類収納室等の構成、カード収納襞の構成、多数の収納襞が集合した収納襞群の構成等は種々の構成であるものが例示できる。
図５、図６、図７、図８に示す実施形態は様々な書類収納室を備えたカード収納襞群の模式図である。なおそれぞれの図は本体を開いたときの図である。
図５の形態は書類収納室を左右一室ずつ備えたカード収納襞群である。この例では書類収納室の長さが収納襞を閉じたときの全長にほぼ等しく、カード収納室一室の長さの約２倍ある。
書類収納室１９の書類部材１６は、一室のカード収納室のほぼ中央部近傍の屈曲部で上下一箇所ずつ糸で襞部材に接合部Ｂのように線状に縫着されている。この接合により、本体の開閉によりカード収納窓の幅、及び書類収納室の幅が変化するように構成されている。図５の例では４個のカード収納襞に８室のカード収納室４を備え、隣接するカード収納襞間に３室のカード収納室７を備えている。又書類部材と襞部材間に略三角形のカード収納室１１を二室備えている。【００３９】  図６に示す実施形態はカード収納襞よりも長さの長い書類収納室を左右一室ずつ備えたカード収納襞群を開いたときの模式図である。この実施形態では左右の書類収納室はカード収納襞よりも長さが長く内面布帛の長さにほぼ等しい長さに構成されている。書類部材の端部が折り曲げ部１５で内面布帛を包み込むように芯材側に折り曲げられ、芯材に接合されている。又書類収納室１９の書類部材１６は、一室のカード収納室４のほぼ中央部近傍の屈曲部で上下一箇所ずつ糸で襞部材に接合部Ｂのように線状に縫着されている。この接合により、本体の開閉時にカード収納室の幅や書類収納室の幅等が変化するように構成されている。図６の例では図５に同じ数のカード収納室４等を備えている。【００４０】  図７に示す実施形態は長さの異なる書類収納室を備えたカード収納襞群を開いたときの模式図である。この実施形態では、カード収納襞を４個備え、更に内面左側に一室、右側に二室の書類収納室を備えている。左側の書類収納室は長さがカード収納襞を閉じたときの全長にほぼ等しく、カード収納室一室の長さの約２倍ある。又右側の二室の書類収納室はカード収納襞よりも長さが長く内面布帛の長さにほぼ等しい長さに構成されている。又書類部材の端部が折り曲げ部１５で内面布帛を包み込むように芯材側に折り曲げられ、芯材に接合されている。又カード収納襞に隣接する書類収納室１９の書類部材１６は一室のカード収納室４のほぼ中央部近傍の屈曲部で上下一箇所ずつ糸で襞部材に接合部Ｂのように線状で縫着されている。この接合により、本体の開閉によりカード収納室の幅、及び書類収納室の幅が変化するように構成されている。又右側の内面布帛に隣接した書類収納室１９はカード収納襞に直接接合されていないが、上下の端部が隣接する書類収納室の上下の端部に密着し芯材に接合されているので隣接する書類収納室に付随して幅が変化するように構成されている。この右側の内面布帛に隣接した書類収納室の幅の変化はカード収納襞に接合された書類収納室より小である。図７の例では図５に同じ数のカード収納室４等を備えている。【００４１】  図８に示す実施形態はカード収納襞間に書類収納室を備えたカード収納襞群を開いたときの模式図である。この実施形態ではカード収納襞を４個備えカード収納襞の中央部に接合部のない、一室の長さが長い書類収納室１９を備えている。この書類収納室は書類部材が隣接するカード収納襞の襞部材の屈曲部で上下一箇所ずつ線状で接合されている。又上下の縁部近傍が糸で縫着されている。この書類収納室と左右のカード収納襞間にある二室のカード収納室は略三角形に構成されている。又内面布帛とカード収納襞間に形成された左右二室のカード収納室も略三角形に構成されている。又書類収納室１９の書類部材１６は一室のカード収納室４のほぼ中央部近傍の屈曲部で上下一箇所ずつ糸で襞部材に接合部Ｂのように線状に縫着されている。この接合により、本体の開閉によりカード収納室の幅、及び書類収納室の幅が変化するように構成されている。
又他の例では接合部Ｂは内面布帛６とその表面側に配置された図示されていない芯材と共に縫着しても良い。
図８の例では、４個のカード収納襞に８室のカード収納室を備え、隣接するカード収納襞間及び内面布帛とカード収納襞間に６室のカード収納室を備えている。【００４２】  本発明を実施するための形態において、カード収納襞を構成する襞部材の接合部Ｓや、襞部材と他の部材の接合部Ｂ即ち襞部材と書類部材の接合部や襞部材と内面布帛の接合部等の接合は前記各種の接合であれば良い，とりわけ糸による縫着は線状で強固に接合する事ができるので好ましく用いられる。書類部材と内面布帛の接合は書類部材の上下の折り曲げ部を内面布帛の縁部を覆いこむように芯材側に折り曲げ、芯材等に接合することにより、書類収納室の有効幅を大にする事が可能であるので、接着剤による接着が好ましく用いられる。勿論、糸による縫着であつてもよい。【００４３】  本発明を実施するための形態に備えているカード収納襞３は襞部材１０を糸による縫着で接合したものや、襞部材を折り曲げプレス加工し屈曲部を形成したもの等各種のものが例示できる。
襞部材１０は各種の布帛が使用可能である。例えば織物、編み物、不織布、紙、天然皮革、剛性皮革、合成樹脂フイルム等が使用可能である。勿論前記の併用物等も使用可能である。例えば前記不織布等が積層され接合されたもの、前記いずれかの布帛と他の布帛が積層されたもの、前記いずれかの布帛と他の布帛が積層され熱圧着や接着剤等で接合されたもの、前記布帛が硬化剤処理されたもの等を使用することが出来る。
とりわけ剛性のある布帛が好ましく用いられる。例えば硬さ指数が４０以下の布帛は剛性があり好ましく用いられる。又開閉時にカード収納襞の屈曲部がバネ様の弾性作用も有するので好ましく用いられる。収納襞群の屈曲部がバネ様の弾性作用により収納体の開閉時にスムーズな開閉が出来る。又急激な開放によるカードの脱落等が阻止出来る。【００４４】  カード収納襞３や書類収納室１９等は、接合形態が各種のものが例示できる。図４に示す実施形態はカード収納室と書類収納室の概略斜視図である。なお図４は本体を開いたときの図である。カード収納襞３は二枚の襞部材１０を重ね合わせその長手方向の両方の縁部９の近傍及び中央部を、縫着ライン１７のように糸で縫着したカード収納襞が例示できる。隣接するカード収納襞の接合はカード収納室一室分の中央部を糸で縫着する事により、多数のカード収納襞群を形成する。
この一個のカード収納襞の縫着ライン１７がカード収納室の形状をシャープな四角形を形成し、開閉時の屈曲部の機能を有する（図４）。
書類収納室１９は書類部材１６が本体の内面布帛６に書類部材の折り曲げ部１５が内面布帛６の端部を包み込むように折り曲げられ、内面布帛や芯材等に接合されている。この接合は接着剤で接着されている。
又書類収納室は隣接するカード収納襞に備えられた一個のカード収納室のほぼ中央部を糸で縫着ライン１７のように縫着されて図４で示す手前側の襞部材１０に接合されている。
書類収納室は書類部材の中央部寄りの２箇所が襞部材の屈曲部で接合されているので、本体の開閉によりその幅が変化するように構成されている。襞部材と書類部材の接合、書類部材と芯材等の接合は糸による縫着、接着剤による接着、その他各種の接合が可能である。【００４５】  本発明を実施するための形態に係るカード収納襞３は深さｈが約３０から９０ｍｍであり、好ましくは約３５から８０ｍｍ、更に好ましくは約４５から７０ｍｍである。又カード収納襞の長さはカード収納室密着時で、カード収納室一室の長さｐの２倍以上である。即ち一個のカード収納襞にカード収納室が二室あるときはｐの約２倍で、３室あるときはｐの約３倍あればよい。この一室の長さｐは約５５から８０ｍｍであり、好ましくは約５７から７０ｍｍである。幅ｐを前記のように設定する事により、カード収納室の幅ｗ即ち本体の開閉方向の屈曲部の対角線の幅、即ち四角形の頂点の対角線の幅は約０から約ｐまで変化する。しかしカード収納襞は本体に接合されているので実質的に変化する幅ｗは約０から４０ｍｍである（図４）。なお幅ｗが０ｍｍとは本体を閉じカード収納室を密着したときの幅である。又カード収納室７は、深さ、一室の長さ等が異なるものを備えていても良い。【００４６】  又書類収納室は深さｇがカード収納襞の深さｈとほぼ同じか又は異なつていても良い。書類収納室は比較的大きな寸法の書類を収納するので深さｇは深さｈより大きいものが好ましい。又書類収納室の長さｂはカード収納室の長さｐより長く本体の長さｄの範囲内である。本体に内面布帛を接合した場合、この内面布帛の長さ分あるものも使用可能である。又書類収納室の長さｂをカード収納襞の長さと同じとすれば襞部材を書類部材として使用することが可能である。
書類収納室の幅ｎ、即ち本体の開閉方向の幅は約０から８０ｍｍ変化する。この幅ｎは書類収納室の長さｂが大であるほど大になる。又この幅ｎは図１及び図４等に示すように、書類収納室を本体側に備えているときは比較的小であり約０から２０である。又図８等に示すように書類収納室がカード収納襞間に備えられたものは比較的大きく変化し幅約０から８０ｍｍである。なお幅ｎが０ｍｍとは本体を閉じ書類収納室を密着した時の幅である。【００４７】  本発明を実施するための形態において、襞部材１０と書類部材１６の配置関係は様々なものが可能である。例えば図１１に示すように書類部材１６はその長さが襞部材１０より長く、深さが襞部材と同じであるものが例示できる。図１２は書類部材は長さが襞部材と同じで、深さが襞部材より大であるものを配置した例である。図１２では書類部材は襞部材の左右の縫着ライン１７で襞部材の深さに相当する分だけ縫着されている。【００４８】  本発明の実施形態に係るカード収納襞は襞部材として硬さ指数が４０以下の布帛が好ましく用いられる。ここで硬さ指数とは、後記測定法によるものである。
硬さ指数が４０以下の布帛は比較的剛性があり、カード収納室の屈曲部以外の部位が曲がつたり、皺が発生したりすることが無い。従ってカードの出し入れがスムーズになル。又剛性があるのでカード収納襞が屈曲部でバネ様の弾性作用があり、本体を開いたとき、カード収納襞群を閉じようとする力が働き急激な開放によるカードの脱落を阻止できる。又本体を閉じようとするとき、カード収納襞群をスムーズな密着が出来る。
又本体に延設部を有するカード収納体の場合、収納体を開いたとき蓋体として機能する延設部自体の重さでカード収納室の幅を大にする事が可能であり、スムーズな開閉が可能である。【００４９】  前記硬さ指数のテスト法は以下の方法による。本体を幅５ｃｍ、長さ１０ｃｍに切断し試験片とする。この試験片を水平なテーブル上に置く。試験片の長さ７ｃｍをテーブルの端部からはみ出し、他方の３ｃｍを台上に置いた状態でその上部に金属片を載せ、試験片を固定する。１分経過後、はみ出した試験片の先端部が台からたれ下がつた垂直距離をｍｍ単位で測定する。このたれ下がつた垂直距離を硬さ指数とする。
【実施例１】
【００５０】  延設部を有する本体の内側にカード収納襞を４個備え、内側の左右に書類収納室を一室ずつ備えたカード収納体１を製造した（図１）。カード収納襞３は一個の収納襞に二室のカード収納室４を備えたものであつた。又本体の延設部の内面と左側の表面部に留め具８を備えたものであつた。
本体２は厚み０・５ｍｍの板紙を芯材として用いた。この板紙は比較的硬質で両手で曲げた時曲げ追従性があるものであつた。又形状保持性テストによる降下距離が３ｍｍであつた。この板紙を切断し長さ１５８ｍｍ、延設部を含む全体の幅が３０５ｍｍの芯材とした。この芯材を中央折り曲げ部Ｖに相当する部位に幅４ｍｍ、長さ１３８ｍｍの細長い折り曲げ部空隙Ｍを削設した。この空隙の上下の支持部１８は上下とも幅１０ｍｍであつた。同様に本体の延設部の折り曲げ部Ｌに相当する部位に前記同様の寸法の細長い折り曲げ部空隙Ｍを削設した。この空隙の上下の支持部１８はそれぞれ幅１０ｍｍであつた。
表面布帛５としてクレープ加工されたレーヨン織物を用い芯材の寸法より折り曲げ部の幅だけ長い寸法の布を切断した。この布は紺色に染色されたものであつた。この表面布帛に芯材を重ね合わせ、幅１５ｍｍの折り曲げ部１５を内側に折り曲げ、酢酸ビニル系の接着剤を用い芯材に接着し図２に示すような本体を得た。なお表面布帛は、延設部と反対側の表面の所定の部位に、面留め具８を縫着したものを用いた。この留め具は布に略Ｕ状の繊維が多数植毛された物であつた。【００５１】  内面布帛としてポリエチレンテレフタレートスパンボンド法不織布を用いた。この不織布は硬さ指数が２６であつた。この不織布を折り曲げ部の幅だけ大きい寸法に切断し、内面布帛とした。又延設部の端部近傍の部位に面留め具を縫着した。この留め具は布に略Ｊ状の繊維が多数植毛されたものを用いた。【００５２】襞部材１０としてポリエチレンテレフタレートスパンボンド法不織布を用いた。この不織布を縦１２０ｍｍ、横１４３ｍｍに切断した。更に二つ折りし、酢酸ビニル系接着材を用い内面数箇所を接着し密着し、縦６０ｍｍ、横１４３ｍｍの襞部材とした。この襞部材を８個製造した。
この襞部材と同じ布帛で二つ折り後の寸法も同一の物を第一の書類部材として用いた、又襞部材と同じ布帛で二つ折り後の寸法が縦６０ｍｍ、横１９２ｍｍ、の物を第二の書類部材として用いた。なお書類部材は襞部材同様、二つ折りし接着剤で接着した。
前記二つ折りし接着剤で接着後の襞部材や書類部材、書類挟持室用の部材等は硬さ指数が４であつた。前記襞部材同士の接合部Ｓ、即ち二枚の襞部材の中央部と上下の端部の縁部近傍、及び隣接するカード収納襞の襞部材同士の屈曲部を糸で縫着した。更に左側の第一の書類部材と該部材に隣接する襞部材の屈曲部を二箇所、接合部Ｂのように糸で縫着した。更に第一の書類部材と内面布帛を書類部材の上下の端部近傍二箇所糸で縫着した。又最後のカード収納襞の襞部材の屈曲部と隣接する右側の第二の書類収納室の書類部材を接合部Ｂのように糸で縫着した。更に第二の書類部材を図４に示すように書類部材の端部を折り曲げ内面布帛の端部を包み込むように折り曲げた。カード収納襞や書類部材が接合された内面布帛を前記本体に重ね合わせ、内面布帛の折り曲げ部を芯材側に折り曲げ酢酸ビニル系接着剤を用い本体に接着し図１に示すようなカード収納体１を得た。内面布帛は本体より長さや幅が短く内面に現れる表面布帛の幅ｃが３ｍｍであつた。【００５３】  このカード収納体１は４個のカード収納襞に８室のカード収納室４を備え、隣接するカード収納襞間に同じ寸法のカード収納室７を３室備えるものであつた。又左側の第一の書類収納室と最初のカード収納襞の間に１室、最後のカード収納襞と右側の第二の書類収納室の間に一室の略三角形のカード収納室１１を備えるものであつた。
このカード収納体１は本体左側の幅ｆが１０８ｍｍ、長さｄが１５８ｍｍ、延設部２０の幅が８２ｍｍであつた。またカード収納襞３の深さｈが６０ｍｍ、密着したときのカード収納室一室の長さｐが６８ｍｍであつた。又本体を開いたときのカード収納室の幅ｗは中央部の収納室で約２４ｍｍであつた。また第一の書類収納室１９は深さｇが６０ｍｍ、密着したときの長さｂが１３７ｍｍであつた。本体を開いたときの書類収納室の幅ｎが５ｍｍであつた。又第二の書類収納室１９は深さｇが６０ｍｍ、長さｂが１５２ｍｍであつた。又本体を開いたときの書類収納室は幅ｎが８ｍｍであつた。又本体を閉じたときのカード収納襞の底部の空間距離Ｋは１０ｍｍであつた。【００５４】  このカード収納体１は本体を折り曲げ、更に留め具で留めたとき、カード収納室や書類収納室等が密着しカード等の収納性が良く、しかも嵩張らずコンパクト性に優れたものであつた。又本体を開いたとき、それぞれのカード収納室すべてその幅が大となり且つ四角形となるものであつた。又略三角形のカード収納室１１も本体の開閉によりその幅が変化し、四角形のカード収納室と同じ効果を有するものであつた。又隣接するカードが離れ、カードが立体的に立ち上がるものであつた。しかも開いたとき、カード収納室の長さｐが小となりカード収納室の両端でカードが挟み込まれるようになるものであつた。
又書類収納室はカード収納襞の襞部材に縫着された接合部Ｂで引っ張られるようにその幅ｎが大になるものであつた。又長さの長い右側の書類収納室１９は左側の書類収納室より幅ｎが大きく開くものであつた。このカード収納体は多数のカードを収納した場合、カードの種別を素早く識別でき、しかも出し入れが容易にできるものであつた。又書類の識別や出し入れも容易に可能なものであつた。又本体開閉時に襞部材の屈曲部がバネ様の弾性があり急激な開閉とならず若干抵抗感のある自然な開閉が出来た。
【実施例２】
【００５５】  前記実施例１に類似の方法で書類収納室や書類挟持室等を備えたカード収納体を製造した。このカード収納体は図１３に示すように一個の収納襞に四角形のカード収納室を二室備えたものであつた。又内側のほぼ中央部と右側に書類収納室を備え、更に延設部の内側に書類挟持室を備えるものであつた。本体に備える芯材として前記実施例１の芯材と同じ板紙を用いた。この芯材は長さｄが１４８ｍｍ、延設部を含む全体の幅が２８８ｍｍであつた。この芯材に中央折り曲げ部Ｖに相当する部位に幅８ｍｍ、長さ１２８ｍｍの細長い折り曲げ部空隙Ｍを削設した。同様に延設部の折り曲げ部Ｌに相当する部位に前記に同じ寸法の細長い折り曲げ部空隙Ｍを削設した。二箇所の空隙Ｍの上下の支持部１８の幅は１０ｍｍであつた。【００５６】  表面布帛としてクレープ加工されたレーヨン織物を用い芯材の大きさより折り曲げ部の幅分大きい寸法に切断した。この布は淡紫色に染色された物であつた。表面布帛と芯材を重ね、前記実施例１同様、酢酸ビニル系接着材を用い表面布帛の折り曲げ部を芯材に接着した。又表面布帛は前記実施例同様、面留め具を糸で縫着したものを用いた。【００５７】内面布帛として紺色に染色された綿平織物を用いた。この布は糊剤で剛性処理されたものであつた。この布は硬さ指数が２３であつた。この布を折り曲げ部の幅だけ大きい寸法に切断し、内面布帛とした。延設部の所定の部位に面留め具を糸で縫着した。この留め具は前記実施例１同様の面留め具を用いた。【００５８】  襞部材１０としてポリエチレンテレフタレートスパンボンド法不織布にレーヨンスパンボンド法不織布が積層され接合された不織布を用いた。この不織布を縦１２０ｍｍ、横１３２ｍｍに切断した。更に二つ折りし、酢酸ビニル系接着材を用い内面数箇所を接着し密着し、深さｈが６０ｍｍ、長さが１３２ｍｍの襞部材とした。この襞部材を８個製造した。
この襞部材と同じ布帛で二つ折り後の寸法も同一の物を二枚、中央部の第一の書類収納室の書類部材として用いた。又右側の第二の書類収納室の書類部材として前記襞部材と同じもので二つ折り後の寸法が深さｈが６０ｍｍ、長さが１７８ｍｍの第二の書類部材として用いた。
又前記襞部材と同じ布帛で二つ折り後の寸法が縦７０ｍｍ、横１４０ｍｍの書類挟持室用の部材として用いた。
前記二つ折りし接着剤で接着後の襞部材や書類部材、書類挟持室用の部材等は硬さ指数が９であつた。【００５９】  前記襞部材同士の接合部Ｓ、即ち二枚の襞部材の中央部と上下の端部の縁部近傍、及び隣接するカード収納襞の襞部材同士の屈曲部等を糸で縫着した。更に中央部の第一の書類部材と該部材に隣接する襞部材の屈曲部を二箇所、接合部Ｂのように糸で縫着した。更に第一の書類部材同士の上下の端部の縁部近傍を糸で縫着した。又最後のカード収納襞の襞部材の屈曲部と隣接する右側の第二の書類収納室の書類部材を接合部Ｂのように糸で縫着した。更に第二の書類部材を図４に示すように書類部材の端部を折り曲げ内面布帛の端部を包み込むように折り曲げた。
更に書類挟持室用の部材を本体の延設部に相当する部位の内面布帛に右側の開口部２２を除く上下及び左側の縁部近傍を縫着ライン１７のように糸で縫着した。カード収納襞、書類収納部材、書類挟持部材等が接合された内面布帛を前記本体に重ね合わせ、内面布帛の折り曲げ部を酢酸ビニル系接着剤を用い本体に接着し図１４に示すようなカード収納体１を得た。内面布帛は本体より長さや幅が短く内面に現れる表面布帛の幅ｃが３ｍｍであつた。【００６０】  このカード収納体１は４個のカード収納襞に８室のカード収納室４を備え、隣接するカード収納襞間に二室、同じ寸法のカード収納室７を備えるものであつた。又第一の書類収納室と隣接するカード収納襞の収納襞間に略三角形のカード収納室を左右一室ずつ計二室備え、更に最後のカード収納襞と第二の書類収納室の間に略三角形のカード収納室１１を一室備えるものであつた。
このカード収納体１は本体左側の幅ｆが９０ｍｍ、長さｄが１４８ｍｍ、延設部２０の幅が８２ｍｍであつた。またカード収納襞３の深さｈが６０ｍｍ、密着したときのカード収納室一室の長さｐが６２ｍｍであつた。又本体を開いたときのカード収納塞の幅ｗは左側の第一のカード収納襞の収納室で約１８ｍｍであつた。また中央部の書類収納室１９は深さｇが６０ｍｍ、密着したときの長さｂが１２７ｍｍ、本体を開いたときの書類収納室の幅ｎが２７ｍｍであつた。又右側の第二の書類収納室１９は深さｇが６０ｍｍ、長さｂが１４２ｍｍ、本体を開いたときの幅ｎが６ｍｍであつた。又書類挟持室は深さが６７ｍｍ、長さが１３４ｍｍであつた。又本体を閉じたときのカード収納襞の底部の空間距離Ｋは１０ｍｍであつた。【００６１】  このカード収納体１は本体を折り曲げ、更に留め具で留めたとき、カード収納室や書類収納室等が密着しカード等の収納性が良く、しかも嵩張らずコンパクト性の良いものであつた。又本体を開いたときそれぞれのカード収納室すべてその幅が大となり且つ四角形となり、カードが立体的に立ち上がるものであつた。しかも開いたとき、カード収納室の長さｐが小となりカード収納室の両端でカードが挟み込まれるようになるものであつた。又略三角形のカード収納室も本体の開閉によりその幅が変化し、四角形のカード収納室と同じ効果を有するものであつた。
又書類収納室はカード収納襞の襞部材に縫着された接合部Ｂで引っ張られるようにその幅ｎが大になるものであつた。又中央部の第一の書類収納室１９は右側の第二の書類収納室より幅ｎが大きく開くものであつた。このカード収納体は多数のカードを収納した場合、カードの種別を素早く識別でき、しかも出し入れが容易にできるものであつた。又書類の識別や出し入れも容易に可能なものであつた。又書類挟持室は書類を挟み込むように収納可能なものであつた。
【図面の簡単な説明】
【００６２】
【図１】  カード収納体の概略斜視図。
【図２】  芯材に表面布帛が接合された本体の概略平面図。
【図３】  芯材に表面布帛及び内面布帛が接合された本体の概略平面図。
【図４】  カード収納室と書類収納室の概略斜視図。
【図５】  書類収納室を左右一室ずつ備えたカード収納襞群を開いたときの模式図。
【図６】  長さの長い書類収納室を左右一室ずつ備えたカード収納襞群を開いたときの模式図。
【図７】  長さの異なる書類収納室を備えたカード収納襞群を開いたときの模式図。
【図８】  カード収納襞間に書類収納室を備えたカード収納襞群を開いたときの模式図。
【図９】  カード収納襞間及び側面に書類収納室を備えたカード収納襞群を開いたときの模式図。
【図１０】  カード収納襞間及び側面に書類収納室を備えたカード収納襞群を閉じつつあるときの模式図。
【図１１】  襞部材と長さの長い書類部材の配置関係を説明するための概略正面図。
【図１２】  襞部材と深さが大である書類部材の配置関係を説明するための概略正面図。
【図１３】  書類挟持室を備えたカード収納体の概略斜視図。
【符号の説明】
【００６３】１      カード収納体
２      本体
３      カード収納襞
４      カード収納室
５      表面布帛
６      内面布帛
７      収納襞間に形成されたカード収納室
８      留め具
９      カード収納襞の縁部
１０    襞部材
１１    襞部材と他の部材間に形成されたカード収納室
１２    カード収納襞群
１３    表面部材
１４    芯材
１５    布帛の折り曲げ部
１６    書類部材
１７    縫着ライン
１８    空隙端部の支持部
１９    書類収納室
２０    本体の延設部
２１    書類挟持室
２２    開口部
【００６４】Ｂ      襞部材と他の部材の接合部
Ｌ      本体延設部の折り曲げ部
Ｍ      折り曲げ部空隙
Ｓ      襞部材同士の接合部
Ｖ      中央折り曲げ部
ｂ      書類収納室の長さ
ｃ      表面布帛が内面に現れる幅
ｄ      本体の長さ
ｆ      本体の左側部分の幅
ｇ      書類収納室の深さ
ｈ      カード収納室の深さ
ｍ      空隙の幅
ｎ      書類収納室の幅
ｐ      一個のカード収納室の長さ
ｗ      一個のカード収納室の幅
【図１】
2005199675.tif 000003
【図２】
2005199675.tif 000004
【図３】
2005199675.tif 000005
【図４】
2005199675.tif 000006
【図５】
2005199675.tif 000007
【図６】
2005199675.tif 000008
【図７】
2005199675.tif 000009
【図８】
2005199675.tif 000010
【図９】
2005199675.tif 000011
【図１０】
2005199675.tif 000012
【図１１】
2005199675.tif 000013
【図１２】
2005199675.tif 000014
【図１３】
2005199675.tif 000015